(57)【要約】      （修正有）【課題】装飾具において、より強力に装飾布部材等と締結させることである。【解決手段】装飾具１０は、装飾が施された粘土部１２と、粘土部１２の内部を通過して、粘土部１２の両側から延伸する紐部材１４と、を備え、粘土部１２は、装飾が施されていない平面部の中央部に形成された凹部２４を含む本体部１８と、凹部２４を塞ぐ蓋部１８と有し、本体部１８と蓋部２０とが硬化する前に嵌合されており、紐部材１２は、中央部が硬化する前に凹部２４内に入り込むように設けられることを特徴とする。【選択図】図２
0003204188.tif 000002
【実用新案登録請求の範囲】
【請求項１】
装飾が施された粘土部と、
前記粘土部の内部を通過して、前記粘土部の両側から延伸する紐部材と、
を備え、
前記粘土部は、前記装飾が施されていない平面部の中央部に形成された凹部を含む本体部と、前記凹部を塞ぐ蓋部と有し、前記本体部と前記蓋部とが硬化する前に嵌合されており、
前記紐部材は、中央部が前記硬化する前に前記凹部内に入り込むように設けられることを特徴とする装飾具。
【請求項２】
請求項１に記載の装飾具において、
前記凹部と前記蓋部との間に設けられる接着層をさらに備えることを特徴とする装飾具。
【考案の詳細な説明】
【技術分野】
【０００１】
本考案は、装飾具に関する。
【背景技術】
【０００２】
従来、女性などの髪留めバレッタ等の髪留装身具が製作されている。これらの髪留装身具は、髪を挟んで固定するための金具が設けられており、この金具には、リボン等の形状に加工された装飾布部材等が取り付けられている。
【０００３】
本考案に関連する技術として、例えば、特許文献１には、透明な合成樹脂で成形した開口中空枠部位、加熱彫刻部位などを設けた加工用ベースを設け、当該開口中空枠部位に乾燥花などを透明な合成樹脂で埋封し、加熱彫刻部位に樹脂ペレット層を設け、電気鏝先で凹凸立体状のペレット図柄を設けてから、その上の任意の部位にモルタル状ペレットを塗布して電気鏝先を当て、発泡膨脹した図柄層を設け、任意の色に着色して仕上げて装飾品とする装飾品の作り方が開示されている。
【先行技術文献】
【特許文献】
【０００４】
【特許文献１】特開平９−２２６２９９号公報
【考案の概要】
【考案が解決しようとする課題】
【０００５】
近年、アクセサリなどの装飾具の分野では、カラフルな色や可愛らしい形状を形成することが可能な樹脂粘土又は樹脂風粘土を利用することが多くなってきている。この樹脂粘土又は樹脂風粘土を用いて形成された装飾具を上記リボン等の形状に加工された装飾布部材等と接続される場合、接着剤を用いて接着して髪留装身具が製作されている。
【０００６】
しかし、このような髪留装身具を使用する際に、装飾具の部分に手を添えて、金具を開閉した際に、装飾具に圧力が加わる場合がある。これを繰り返しているうちに、装飾具と装飾布部材とが剥がれてしまう虞がある。
【０００７】
本考案の目的は、より強力に装飾布部材等と締結することを可能とする装飾具を提供することである。
【課題を解決するための手段】
【０００８】
本考案に係る装飾具は、装飾が施された粘土部と、前記粘土部の内部を通過して、前記粘土部の両側から延伸する紐部材と、を備え、前記粘土部は、前記装飾が施されていない平面部の中央部に形成された凹部を含む本体部と、前記凹部を塞ぐ蓋部と有し、前記本体部と前記蓋部とが硬化する前に嵌合されており、前記紐部材は、中央部が前記硬化する前に前記凹部内に入り込むように設けられることを特徴とする。
【０００９】
また、本考案に係る装飾具において、前記凹部と前記蓋部との間に設けられる接着層をさらに備えることが好ましい。
【考案の効果】
【００１０】
本考案によれば、紐部材の中央部が粘土部の本体部と蓋部とが硬化する前に凹部内に入り込むように設けられ、本体部の凹部に蓋部を嵌合させて後に硬化させている。これにより、紐部材が蓋部によって動きが規制される。したがって、紐部材を装飾布部材に括り付ける等の処理を行うことができるため、より強力に装飾布部材等と締結することができる。
【図面の簡単な説明】
【００１１】
【図１】本考案に係る実施形態の装飾具を表面から見た様子を示す図である。
【図２】本考案に係る実施形態の装飾具を裏面から見た様子を示す図である。
【図３】本考案に係る実施形態の装飾具を用いた髪留装身具を表面から見た様子を示す図である。
【図４】本考案に係る実施形態の装飾具を用いた髪留装身具を裏面から見た様子を示す図である。
【図５】本考案に係る実施形態の装飾具を製造する工程を示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、装飾具１０を表面から見た様子を示す図である。図２は、装飾具１０を裏面から見た様子を示す図である。図３は、髪留装身具２を表面から見た様子を示す図である。図４は、髪留装身具２を裏面から見た様子を示す図である。
【００１４】
髪留装身具２は、金具４と、装飾布部材６と、装飾具１０とを備える。ここで、本考案に係る実施形態において、髪留装身具２、金具４、装飾布部材６は、装飾具１０の構成要素ではないが、当該実施形態を説明にするために必要な要素であるため、最初に説明する。
【００１５】
髪留装身具２は、女性などの髪留めとして用いられ、バレッタと呼ばれることがある。金具４は、女性などの髪を挟み込んで髪留装身具２を固定するための挟み金具である。一方側の挟み部４ａは、溝状の形状を有し、その溝を構成する壁面には、不図示ののこぎり状の凹凸が滑り止めとして形成されている。他方側の挟み部４ｂは、一方側の挟み部４ａの溝内部に収納される程度の溝幅の溝を有している。金具４を開閉するための操作部に力を与えることで開くことができ、通常時は他方側の挟み部４ｂが一方側の挟み部４ａに収納されるように付勢部材４ｃが取り付けられている。
【００１６】
装飾布部材６は、織物、編み物（メリヤス生地）、レース、フェルト、不織布などの布をリボンなどの可愛らしい形状に加工されて形成される。装飾布部材６は、織物、編み物（メリヤス生地）、レース、フェルト、不織布の１つで構成するだけでなく、複数の布を組み合わせて装飾されることも可能である。また、装飾布部材６は、様々な色に着色することが可能であるが、ここでは、高級感のある黒色であるものとして説明する。また、装飾布部材６は、金具４の不図示の貫通孔を利用して糸部材で括りつけられることで、金具４にしっかりと固定されている。
【００１７】
次に、本考案に係る実施形態の装飾具１０について説明する。装飾具１０は、粘土部１２と、紐部材１４とを備える。装飾具１０は、金具４が取り付けられた装飾布部材６に締結される部材である。
【００１８】
粘土部１２は、本体部１８と、蓋部２０とを備える。粘土部１２は、木工用ボンドの成分として用いられる酢酸ビニルエマルジョンや穀紛を原料とする粘土であり、樹脂風粘土又は樹脂粘土と呼ばれている。粘土部１２は、自然乾燥により硬化して形成されるものである。また、穀紛の種類として、例えば、小麦粉、トウモロコシ、でんぷん等を含む。ここで、粘土部１２は、樹脂風粘土又は樹脂粘土だけでなく、これに細かな発泡スチロールを混ぜで容積を大きくした粘土である軽量粘土も含むものとする。
【００１９】
本体部１８は、装飾が施された装飾部１６を含む。装飾部１６は、上記樹脂風年度又は樹脂粘土が柔軟性を有している状態のときに成形されており、例えば、図１に示されるように花びらの形状に成形される。また、本体部１８において、装飾部１６と反対側に位置する平面部２２の中央部には、所定の面積を有する凹部２４が形成されている。
【００２０】
蓋部２０は、凹部２４の孔体積とほぼ同一の体積を有する凸型形状を有する部材である。また、本体部１８と蓋部２０は、同一の樹脂風粘土又は樹脂粘土で構成することが好ましく、凹部２４に蓋部２０が嵌合された違和感を無くすために同一の色に着色されることが好ましい。ここでは、本体部１８と蓋部２０とは、上品な水色に着色されているものとして説明する。
【００２１】
紐部材１４は、粘土部１２の内部を通過して、粘土部１２の両側から延伸している。紐部材１４は、本体部１８と蓋部２０とが硬化する前に、中央部が凹部２４内に入り込むように設けられる。紐部材１４は、ここでは、平紐であるものとして説明するが、もちろん、その形状であってもよく、例えば、丸紐であってもよい。紐部材１４の幅は、凹部２４の孔の直径よりも小さく設定されている。また、紐部材１４は、所定の柔軟性を有し、適度な強度を有する材料で構成されていればよく、例えば、布や皮やテグスワイヤー等で構成される。
【００２２】
続いて、装飾具１０の製造方法について説明する。図５は、装飾具１０を製造する工程を示す図である。最初に、図５（ａ）に示されるように、花びら形状の装飾部１６を形成するために予め形成された粘土成形用金型８を準備する（Ｓ２）。
【００２３】
次に、図５（ｂ）に示されるように、樹脂風粘土又は樹脂粘土を粘土成形用金型８内に流し込んで装飾部１６を含む本体部１８を形成する（Ｓ４）。このとき、中央部に凹部２４が形成されるように樹脂風粘土又は樹脂粘土の注入量を調整する。
【００２４】
次いで、紐部材１４を準備し、図５（ｃ）に示されるように、中央部が凹部２４内に入りこむように設置する（Ｓ６）。その後、図５（ｄ）に示されるように、紐部材１４を覆うように、樹脂風粘土又は樹脂粘土を流し込み、凹部２４を塞いで蓋部２０を形成する（Ｓ８）。この状態で数時間から数十時間経過させることで、樹脂風粘土又は樹脂粘土を硬化させて、図１,図２に示されるような装飾具１０が完成する。
【００２５】
上記のように、装飾具１０は、紐部材１４が凹部２４に入り込んだ状態で、蓋部２０が紐部材１４を覆い、本体部１８と蓋部２０を接合させた状態で硬化している。したがって、紐部材１４が蓋部２０によって動きがしっかりと固定されており、強い力で紐部材１４を引っ張っても凹部２４から抜け出ることがない。
【００２６】
そして、この装飾具１０を用いて、金具４が取り付けられた装飾布部材６の中央部において、紐部材１４を括り付けてしっかりと固定することで、図３，４に示されるような髪留装身具２が完成する。この髪留装身具２は、紐部材１４によって、粘土部１２がしっかりと固定されているため、装飾具１０が装飾布部材６から剥がれてしまうようなことがない。すなわち、装飾具１０を用いることで、頑丈な髪留装身具２とすることができるという効果がある。
【００２７】
上記の装飾具１０は、本体部１８と蓋部２０とを接合させた状態で硬化させることにより、紐部材１４が蓋部２０によって動きを規制しているが、本体部１８と蓋部２０との接着力をより高めることが好ましい。上記装飾具１０の製造方法において、凹部２４に接着剤を塗布した後、紐部材１４を設け、さらに紐部材１４上にも接着剤を塗布した後に蓋部２０で塞ぐことが好適である。接着剤としては、無機系接着剤を用いてもよく、天然系接着剤や合成系接着剤を含む有機系接着剤を用いてもよい。これにより、よりしっかりと紐部材１４の動きを規制できるため、この装飾具１０を用いて髪留装身具２を制作した場合に、粘土部１２が剥がれてしまうようなことがない。すなわち、装飾具１０を用いることで、より頑丈な髪留装身具２とすることができるという利点がある。
【００２８】
なお、上記では、髪留装身具２は、女性などの髪留めであるバレッタであるものとして説明したが、その他の髪留めであってもよい。例えば、ヘアゴム、シュシュ、ヘアピン、スリーピン、かんざし、コーム、トップピン、クリップやカチューシャであってもよい。
【００２９】
また、装飾具１０が締結される対象は、髪留装身具２であるとして説明したが、髪留め以外の装飾用金具類に用いてもよい。例えば、ブローチ金具、菊座、ペンダント、ブレス、バングルなどに用いることも可能である。
【００３０】
上記のように装飾具１０を用いることで装飾用金具類に強固に締結することができるものは数多く存在する。これらの中で、さらに具体的な例をあげると、ブローチ金具の中でも、例えば、すかし花六弁、すかし楕円、すかし菱形などのすかしブローチパーツに対して、装飾具１０を用いることで強固に締結することができるという利点がある。
【符号の説明】
【００３１】
２  髪留装身具、４  金具、６  装飾布部材、８  成型用金型、１０  装飾具、１２  粘土部、１４  紐部材、１６  装飾部、１８  本体部、２０  本体部、２２  平面部、２４  凹部。
【図１】
0003204188.tif 000003
【図２】
0003204188.tif 000004
【図３】
0003204188.tif 000005
【図４】
0003204188.tif 000006
【図５】
0003204188.tif 000007